(57)【要約】【課題】放水路に放出される排出海水に同伴される泡を簡易に採取して短時間で分析用の試料とすることができる使用済排出海水の泡採取装置を提供する。【解決手段】本発明に係る使用済排出海水の泡採取装置１０Ａは、排出海水１１に浮遊している泡２２を採取し、放水路１２の外部に送給する泡採取管１３と、流入口２７を有し、他端側が開放された外筒２５と、内部に貫通流路２８を有する内筒２６とを有するシリンジ１４と、貫通流路２８にシリンジ１４の外部から消泡剤３１を供給する消泡剤供給手段１５と、泡採取管１３に連結され、消泡剤３１で消泡され、液化した泡成分を回収する泡成分回収管１６と、泡成分回収管１６に連結され、泡成分を回収する泡成分回収容器１７と、泡採取管１３に設けられ、放水路１２の排出海水１１、シリンジ１４、泡成分回収管１６のいずれかに流路を切替える三方弁１８と、を有することを特徴とする。【選択図】図１
2013036783.tif 000002
【特許請求の範囲】
【請求項１】
使用済の排出海水を放水する放水路の前記排出海水に浮遊している泡を採取し、前記放水路の外部に送給する泡採取管と、
先端部に前記泡採取管と連結する流入口を有し、軸方向に延びると共に、他端側が開放された外筒と、前記外筒の内周面に覆われ、軸方向に移動可能であると共に、内部に貫通流路を有する内筒とを有する薬剤混合容器と、
前記貫通流路に前記薬剤混合容器の外部から消泡剤を供給する消泡剤供給手段と、
前記泡採取管に連結され、消泡剤で消泡され、液化した泡成分を回収する泡成分回収管と、
前記泡成分回収管に連結され、前記泡成分を回収する泡成分回収部と、
前記泡採取管に設けられ、前記放水路の排出海水、前記薬剤混合容器、前記泡成分回収管のいずれかに流路を切替える三方弁と、
を有することを特徴とする使用済排出海水の泡採取装置。
【請求項２】
使用済の排出海水の放水路の前記排出海水に浮遊している泡を採取し、前記放水路の外部に送給する泡採取管と、
先端部に前記泡採取管と連結する流入口を有し、軸方向に延びると共に、他端側が開放された外筒と、前記外筒の内周面に覆われ、軸方向に移動可能であると共に、内部に貫通流路を有する内筒とを有する薬剤混合容器と、
前記泡採取管に連結され、前記薬剤混合容器に消泡剤を供給する消泡剤供給手段と、
前記薬剤混合容器に連結され、消泡剤で消泡され、液化した泡成分を回収する泡成分回収管と、
前記泡成分回収管に連結され、前記泡成分を回収する泡成分回収部と、
前記泡採取管に設けられ、前記放水路の排出海水、前記消泡剤供給手段、前記薬剤混合容器のいずれかに流路を切替える三方弁と、
を有することを特徴とする使用済排出海水の泡採取装置。
【発明の詳細な説明】
【技術分野】
【０００１】
本発明は、例えば火力発電所や原子力発電所等の発電プラントや化学プラント等の冷却水として、あるいは排ガスの洗浄用水として、海水を使用した後に再び海へ排出する使用済排出海水に同伴される泡を監視する使用済排出海水の泡採取装置に関するものである。
【背景技術】
【０００２】
原子力発電所、火力発電所などの種々の発電プラントでは、海水は復水器等の冷却水や、海水脱硫設備の排ガス処理用の水や熱交換器等の熱交換用の水として多量に使用されている。復水器で使用された後の使用済の排出海水、海水脱硫設備で用いた使用済の排出海水、熱交換器等から排出される排出海水は、温排水として放水路に排出され、海域や河川域に排出されている。
【０００３】
放水路には、一般に海の潮位の変動に対応するため堰を設置しているが、この堰を越えて排水が下流側に流れ落ちて空気を巻き込むことで、放水路の水面上には多量の泡が発生する。また、放水路には、排水が空気を巻き込むことで生じる泡の他に、界面活性剤などの化学薬品、微生物や生物死骸など汚染物などの様々な原因により生じている泡も含まれている場合がある。
【０００４】
空気を巻き込むことで生じる泡のほとんどは排水路の途中で消泡するが、化学薬品や汚染物等に起因して生じた泡は、化学薬品や汚染物等による界面活性作用により容易に破泡しないため、使用済海水や排出海水の表面に浮遊している場合が多く、排水路の排出口から海に排出される場合がある。
【０００５】
従来より、例えば、冷却水として用いる海水中に消泡剤等の薬剤を添加し、海水を冷却水として用いる際に泡が発生するのを抑制する発泡抑制方法などが用いられていた（例えば、特許文献１参照）。これにより、放水路の水面上に泡が発生するのを抑制し、放水路に流れる使用済海水や排出海水に泡が同伴して海域や河川域に流れ出さないようにしていた。
【０００６】
また、化学薬品や汚染物等に起因して生じた泡は、空気を巻き込むことで生じる泡に比べ外観も悪く、排水基準に泡の規制がないが、これらに起因して生じた泡が同伴された排出海水は、外観的に汚濁排水と認識されやすい。そのため、排水が放水される周辺の海域や河川域で行われている漁業や農業の安全性を確保する観点から、泡の安全性の確認や証明を行う場合がある。
【先行技術文献】
【特許文献】
【０００７】
【特許文献１】国際公開第２００８／０４１４００号
【発明の概要】
【発明が解決しようとする課題】
【０００８】
ここで、泡の安全性の確認や証明を行う際に、放水路から使用済海水や排出海水に浮遊している泡を回収し、分析等を行うためには、泡を液体にした状態で少なくとも数リットル確保する必要がある。また、放水路から使用済海水や排出海水に浮遊している泡を回収する際、放水路でバケツ等を用いて泡を袋や容器等に回収し、回収した泡を手で潰すなどして液体にしてから分析用の容器等に集める必要があった。
【０００９】
しかしながら、泡は多くの気泡を含んでいることから、分析用の試料として、泡を液体にした状態で数リットルを確保しようとすると、泡を採取し、分析用の試料を確保するためだけでも少なくとも１日以上要していた、という問題がある。
【００１０】
このように、放水路から使用済海水や排出海水に浮遊している泡を回収し、分析等を行うには、人手により行われる作業が多く労力を要することが多いことから、放水路の水面上に浮遊している泡を簡易に採取して短時間で分析用の試料とすることができる泡の泡検知装置が切望されている。
【００１１】
本発明は、前記問題に鑑みてなされたものであって、放水路に放出される排出海水に同伴される泡を簡易に採取して短時間で分析用の試料とすることができる使用済排出海水の泡採取装置を提供することを目的とする。
【課題を解決するための手段】
【００１２】
上述した課題を解決するための本発明の第１の発明は、使用済の排出海水を放水する放水路の前記排出海水に浮遊している泡を採取し、前記放水路の外部に送給する泡採取管と、先端部に前記泡採取管と連結する流入口を有し、軸方向に延びると共に、他端側が開放された外筒と、前記外筒の内周面に覆われ、軸方向に移動可能であると共に、内部に貫通流路を有する内筒とを有する薬剤混合容器と、前記貫通流路に前記薬剤混合容器の外部から消泡剤を供給する消泡剤供給手段と、前記泡採取管に連結され、消泡剤で消泡され、液化した泡成分を回収する泡成分回収管と、前記泡成分回収管に連結され、前記泡成分を回収する泡成分回収部と、前記泡採取管に設けられ、前記放水路の排出海水、前記薬剤混合容器、前記泡成分回収管のいずれかに流路を切替える三方弁と、を有することを特徴とする使用済排出海水の泡採取装置である。
【００１３】
第２の発明は、使用済の排出海水の放水路の前記排出海水に浮遊している泡を採取し、前記放水路の外部に送給する泡採取管と、先端部に前記泡採取管と連結する流入口を有し、軸方向に延びると共に、他端側が開放された外筒と、前記外筒の内周面に覆われ、軸方向に移動可能であると共に、内部に貫通流路を有する内筒とを有する薬剤混合容器と、前記泡採取管に連結され、前記薬剤混合容器に消泡剤を供給する消泡剤供給手段と、前記薬剤混合容器に連結され、消泡剤で消泡され、液化した泡成分を回収する泡成分回収管と、前記泡成分回収管に連結され、前記泡成分を回収する泡成分回収部と、前記泡採取管に設けられ、前記放水路の排出海水、前記消泡剤供給手段、前記薬剤混合容器のいずれかに流路を切替える三方弁と、を有することを特徴とする使用済排出海水の泡採取装置である。
【発明の効果】
【００１４】
本発明の使用済排出海水の泡採取装置によれば、放水路に放出される排出海水に同伴される泡を簡易に採取して短時間で分析用の試料とすることができる。
【図面の簡単な説明】
【００１５】
【図１】図１は、本発明の実施例１に係る使用済排出海水の泡採取装置の構成の概略図である。
【図２】図２は、図１のＡ−Ａ方向から見た図である。
【図３】図３は、Ｂ−Ｂ方向から見た図である。
【図４】図４は、泡の採取方法の工程の一部を示す図である。
【図５】図５は、泡の採取方法の工程の一部を示す図である。
【図６】図６は、泡の採取方法の工程の一部を示す図である。
【図７】図７は、泡の採取方法の工程の一部を示す図である。
【図８】図８は、泡の採取方法の工程の一部を示す図である。
【図９】図９は、本発明の実施例２に係る使用済排出海水の泡採取装置を図１のＢ−Ｂ方向から見た図である。
【図１０】図１０は、泡の採取方法の工程の一部を示す図である。
【図１１】図１１は、泡の採取方法の工程の一部を示す図である。
【図１２】図１２は、泡の採取方法の工程の一部を示す図である。
【図１３】図１３は、泡の採取方法の工程の一部を示す図である。
【図１４】図１４は、泡の採取方法の工程の一部を示す図である。
【発明を実施するための形態】
【００１６】
以下に、本発明に係る使用済排出海水の泡採取装置の実施例を図面に基づいて詳細に説明する。なお、本発明は以下の実施例に記載した内容により限定されるものではない。また、以下に記載した下記実施例における構成要素には、当業者が容易に想定できるもの、実質的に同一のもの、いわゆる均等の範囲のものが含まれる。さらに以下に記載した下記実施例で開示した構成要素は適宜組み合わせることが可能である。
【実施例１】
【００１７】
本発明の実施例１に係る使用済排出海水の泡採取装置の構成について説明する。図１は、本発明の実施例１に係る使用済排出海水の泡採取装置の構成の概略図であり、図２は、図１のＡ−Ａ方向から見た図であり、図３は、Ｂ−Ｂ方向から見た図である。図１〜図３に示すように、本実施例に係る使用済排出海水の泡採取装置１０Ａは、使用済の排出海水１１を海へ排出する放水路１２に設けられ、泡採取管１３と、薬剤混合容器（シリンジ）１４と、消泡剤供給手段１５と、泡成分回収管１６と、泡成分回収容器（泡成分回収部）１７と、三方弁１８とを有するものである。
【００１８】
排出海水１１は、例えば、海から取水した海水を火力発電所、原子力発電所等の発電プラントの復水器の冷却水として用い、復水器で熱交換されて温められた温排水であり、復水器などの放水管２０から海に向けて排出される使用済の海水である。
【００１９】
放水路１２には堰２１が設けられ、放水路１２の水面の高さは、復水器の方が海域側よりも高くなるように形成され、海の潮位の変動を受けないようにしている。
【００２０】
放水路１２には、排出海水１１が海に向けて排出されるまでの間に、排出海水１１には泡２２が多量に発生し、泡２２を同伴した排出海水１１が海に向けて流れている。泡２２は、排出海水１１が堰２１を越えて下流側に流れ落ちた際に排出海水１１が空気を巻き込むことで生じる泡や、界面活性剤などの化学薬品、微生物や生物死骸などの汚染物、水中の藻類や細菌、無機物や有機物の微粒子、多糖類、脂肪等の両親媒性生体高分子などの様々な原因により生じている泡などがある。空気を巻き込むことで生じる泡のほとんどは放水路１２の途中で消泡するが、汚染物等に起因して生じた泡は、水と水以外の物質（化学薬品や汚染物、水中の藻類や細菌、無機物や有機物の微粒子、多糖類、脂肪等の両親媒性生体高分子）が攪拌されたときに曝気され、いったん沈んだ泡が浮上する際に加圧浮上することによって気泡の周囲に吸着することから界面活性剤としての機能を果たし、気泡が割れにくくなっている。また、こうした泡２２に対しては、物理的な力を加えた場合でも、破泡、消泡せず、余計な泡を生じることが多い。すなわち、小さな泡が放水路１２の下部から上昇する過程で排出海水１１中や放水路１２の底部に堆積した汚泥などの汚濁成分が泡に巻き込まれることで、化学薬品や汚染物、水中の藻類や細菌、無機物や有機物の微粒子、多糖類、脂肪等の両親媒性生体高分子などを多く取り込み、泡の中に更に小さい泡が多数存在した状態の泡を形成することが考えられる。これにより、泡２２の皮膜が厚く、強固となる結果、気泡が割れにくくなり、破泡、消泡し難くなっている。そのため、化学薬品や汚染物等に起因して生じた泡は、放水路１２の排出口まで排出海水１１の表面に着色した状態で浮遊している場合が多い。
【００２１】
放水路１２の下流側の放水路１２と海域との境近傍には、泡２２を同伴した排出海水１１の表面近傍の流れを遮る浮体（フロート）２３が放水路１２の排出海水１１の流れ方向と略直交する向きに複数係留して設けられている。フロート２３を排出海水１１に浮遊させることで排出海水１１の表面近傍の流れを遮るため、排出海水１１の海水表層に浮遊する泡２２が排出海水１１に同伴して海に拡散するのを抑制している。また、フロート２３同士は、例えば、紐等により各々連結されており、フロート２３の数は、放水路１２の幅大きさ等により調整される。また、発生する泡２２に応じて、フロート２３の高さや水没量を適宜調整するようにしてもよい。
【００２２】
泡採取管１３は、放水路１２の排出海水１１に浮遊している泡２２を採取し、放水路１２の外部に送給する管であり、シリンジ１４と連結されている。これにより、排出海水１１に浮遊している泡２２は排出海水１１から泡採取管１３を介してシリンジ１４内に送給される。
【００２３】
シリンジ１４は、泡採取管１３と放水路１２の外部において連結され、外筒２５と、内筒２６とを有するものである。外筒２５は、先端部に泡採取管１３と連結する流入口２７を有し、軸方向に延びると共に、他端側が開放されている。内筒２６は、外筒２５の内周面に覆われ、軸方向に移動可能であると共に、内部に貫通流路２８を有するものである。
【００２４】
排出海水１１の浮遊している泡２２を泡採取管１３を通過させてシリンジ１４内に吸引する際、内筒２６を外筒２５の先端側から他端側に引っ張り、外筒２５の内部に空間を形成するようにするだけで、排出海水１１の浮遊している泡２２をシリンジ１４内に吸引することができる。このため、泡２２を採取するのに動力弁など動力を用いることなく、泡２２を回収することができる。
【００２５】
消泡剤供給手段１５は、消泡剤３１を貯蔵する消泡剤供給タンク３２と、貫通流路２８と連結する消泡剤供給管３３とを有するものであり、貫通流路２８にシリンジ１４の外部から消泡剤３１を供給する。消泡剤３１は、泡２２を液化させて液体にさせるためのものである。消泡剤３１としては、アルコール系消泡剤を用いるのが好ましい。これは、泡成分を回収して、分析に供するので、分析に先立って揮発させることができるアルコール系消泡剤であれば、分析に悪影響を与えないものが好ましいからである。ここで、アルコール系消泡剤としては、例えば、メチルアルコール、エチルアルコール、イソプロピルアルコール等を挙げることができる。また、アルコール系消泡剤以外としては、例えばヘキサメチレン酸ナトリウムなどを挙げることができる。なお、一般的な消泡剤として、例えばシリコーン系消泡剤、ポリグリコール系消泡剤、ポリアクリレート系消泡剤、脂肪酸系消泡剤、脂肪酸エステル系消泡剤、アミン系消泡剤、アミド系消泡剤、エーテル系消泡剤、および金属石鹸等を挙げることができる。また、シリコーン系消泡剤には、オイル型、エマルジョン型、変成油型、溶剤型、粉末型などがある。本実施例においては、消泡剤３１としては、アルコール系消泡剤、酸性溶液の何れか一方又は両方の混合溶液が用いることが好ましい。酸性溶液としては、具体的には、希塩酸（ＨＣｌ）、希硫酸（Ｈ2ＳＯ4）、希硝酸（ＨＮＯ3）などがある。なお、分析において、消泡剤３１として痕跡が残る場合には、予めそれを考慮して分析するようにしてもよい。
【００２６】
排出海水１１のｐＨは、約８．３程度であり、排出海水１１の浮遊している泡２２のｐＨも排出海水１１のｐＨとほぼ同じであるが、消泡剤３１として、アルコール、酸性溶液の何れか一方又は両方の混合溶液を用い、泡２２に消泡剤３１を混合することにより、排出海水１１のｐＨは下げられるため、泡２２を破砲することができる。
【００２７】
内筒２６は貫通流路２８を有するため、消泡剤３１は貫通流路２８を通過して外筒２５内に供給される。外筒２５内に消泡剤３１を予め供給し、排出海水１１に浮遊している泡２２を泡採取管１３から外筒２５内に送給することで、泡２２は消泡剤３１と反応して液化され、液体の泡成分となる。
【００２８】
泡成分回収管１６は、泡採取管１３に連結され、消泡剤３１で消泡され、液化した泡成分を回収する管である。泡成分回収管１６には泡成分回収容器１７が連結されており、外筒２５の内部で生成した泡成分は泡成分回収容器１７に回収される。
【００２９】
泡採取管１３には三方弁１８が設けられ、排出海水１１を回収する際には、泡採取管１３とシリンジ１４とを連通するようにし、泡成分を泡成分回収容器１７に送給する際には、シリンジ１４と泡成分回収管１６とを連通するように流路を切替える。
【００３０】
放水路１２を流れる排出海水１１に浮遊している泡２２を採取し、分析用の試料とするための泡２２の採取方法について図４〜図８を用いて説明する。
【００３１】
まず、図４に示すように、調節弁Ｖ１１を開放し、調節弁Ｖ１２を閉鎖し、三方弁１８を泡採取管１３と泡成分回収管１６とが連通するようにした状態で、消泡剤供給タンク３２内の消泡剤３１を消泡剤供給タンク３２から消泡剤供給管３３、貫通流路２８をこの順に通過させ、外筒２５の内部に所定量送給する。
【００３２】
その後、図５に示すように、調節弁Ｖ１１を閉鎖する。これにより、外筒２５と内筒２６より形成される空間内に所定量の消泡剤３１を溜めて置くことができる。
【００３３】
その後、図６に示すように、三方弁１８を泡採取管１３とシリンジ１４とが連通するようにし、放水路１２を流れる排出海水１１に浮遊している泡２２を泡採取管１３より回収してシリンジ１４に送給する。シリンジ１４内には予め消泡剤３１が溜められているため、シリンジ１４内に泡２２を送給すると、泡２２はシリンジ１４内の消泡剤３１と混合される。泡２２を消泡剤３１と混合すると、泡２２は消泡剤３１と反応して、消泡され液化され、液体の泡成分３５を生成する。これにより、シリンジ１４内には液化した泡成分３５が溜められる。
【００３４】
泡２２を所定量回収した後、図７に示すように、三方弁１８を泡採取管１３とシリンジ１４とが連通するようにして泡２２を排出海水１１から採取するのを停止する。その後、図８に示すように、調節弁Ｖ１２を開放し、シリンジ１４内の泡成分３５を泡採取管１３、泡成分回収管１６をこの順に通過させ、泡成分回収容器１７内に送給して、泡成分回収容器１７内に回収する。
【００３５】
よって、本実施例に係る使用済排出海水の泡採取装置１０Ａを放水路１２に設け、シリンジ１４内に予め消泡剤３１を入れておき、放水路１２に放出される排出海水１１に同伴した泡２２をシリンジ１４内で消泡剤３１と容易に混合し、液体の泡成分３５を得ることができる。このため、泡２２を短時間で容易に液化し、分析用にして回収することができる。
【００３６】
また、泡２２の採取、液化作業は手動で行うことができ、電気を消費することなく行うことができるため、電力の得られない状況下でも泡２２を分析用の試料として採取することができる。
【００３７】
この採取した液体の泡成分３５は、別途公知の分析手段により分析される。この泡成分３５の分析は、発泡原因となりうる有機物や生物等の調査、例えば泡２２の内容物や構成する物質の把握を行う場合には、例えば、試料外観観察、顕微鏡観察、全有機炭素（ＴＯＣ）分析、ＣＨＮ元素分析（Elemental  Analysis（Carbon、Hydrogen、Nitrogen））、浮遊物質量（ＳＳ）測定、示差熱分析（Differential  Thermal  Analysis:ＤＴＡ）、重金属分析、写真判定分析等により行うことができる。
【００３８】
本実施例においては、排出海水１１に浮遊している泡２２を採取する回数は、１回としているが、これに限定されるものではなく、必要な採取量に応じて、排出海水１１に浮遊している泡２２を採取する回数は、複数回としてもよい。
【００３９】
本実施例においては、フロート２３でせき止められている泡２２を採取するようにしているが、本実施例はこれに限定されるものではなく、放水路１２に設けられている堰２１に滞留する泡２２を採取するようにしてもよい。
【００４０】
本実施例においては、排出海水１１として、火力発電所、原子力発電所等の発電プラントの復水器等から排出される使用済海水に同伴される泡を監視し、処理する場合について説明したが、本実施例はこれに限定されるものではなく、海水脱硫設備で用いた使用済の排出海水、熱交換器等から排出される排水、河川に排出される排水等についても同様に適用することができる。
【実施例２】
【００４１】
本実施例に係る使用済排出海水の泡採取装置について説明する。本実施例に係る使用済排出海水の泡採取装置は、上述した図１〜図３に示す実施例１に係る使用済排出海水の泡採取装置の構成と同様である。そのため、上述した実施例１と同一の構成には同一の符号を付し、重複した説明を省略する。
【００４２】
図９は、本発明の実施例２に係る使用済排出海水の泡採取装置を図１のＢ−Ｂ方向から見た図である。図９に示すように、本実施例に係る使用済排出海水の泡採取装置１０Ｂは、図１に示す実施例１に係る使用済排出海水の泡採取装置１０Ａの泡採取管１３に三方弁１８に泡成分回収管１６に代えて消泡剤供給管３３を連結し、貫通流路２８に消泡剤供給管３３に代えて泡成分回収管１６を連結したものである。
【００４３】
消泡剤３１は消泡剤供給タンク３２から消泡剤供給管３３を通過して泡採取管１３に送給される。これにより、泡採取管１３の三方弁１８と外筒２５の流入口２７との空間と、シリンジ１４の外筒２５と内筒２６とより形成される空間内とに、消泡剤３１を溜めることができる。
【００４４】
このため、泡採取管１３の三方弁１８と外筒２５の流入口２７との空間と、シリンジ１４内とに、予め消泡剤３１を溜め、排出海水１１に浮遊している泡２２を泡採取管１３を通過してシリンジ１４内に送給することにより、泡２２はシリンジ１４内に供給される前に消泡剤３１と混合されるため、液化した泡成分３５のみがシリンジ１４内に貯留される。
【００４５】
よって、泡２２をシリンジ１４内に引き込む前に既に液体状態としているため、泡２２の回収と同時に、シリンジ１４内に泡成分３５のみを回収することができる。
【００４６】
本実施例においては、泡採取管１３の三方弁１８と外筒２５の流入口２７との空間と、シリンジ１４内とに予め消泡剤３１を溜めた後、排出海水１１に浮遊している泡２２をシリンジ１４内に送給するようにしているが、これに限定されるものではない。採取管１３の三方弁１８と外筒２５の流入口２７との空間と、シリンジ１４内とに消泡剤３１を供給するのと同時に、シリンジ１４内に泡２２を供給するようにしてもよい。
【００４７】
放水路１２を流れる排出海水１１に浮遊している泡２２を採取し、分析用の試料とするための泡２２の採取方法について図１０〜図１４を用いて説明する。
【００４８】
まず、図１０に示すように、調節弁Ｖ２１を開放し、調節弁Ｖ２２を閉鎖し、三方弁１８を消泡剤供給管３３とシリンジ１４とが連通するようにした状態で、消泡剤供給タンク３２内の消泡剤３１を消泡剤供給タンク３２から消泡剤供給管３３、泡採取管１３をこの順に通過させ、外筒２５の内部に所定量送給する。
【００４９】
その後、図１１に示すように、調節弁Ｖ２１を閉鎖する。これにより、泡採取管１３の三方弁１８と外筒２５の流入口２７との空間内と、シリンジ１４の外筒２５と内筒２６とより形成される空間内とに、所定量の消泡剤３１を溜めて置くことができる。
【００５０】
その後、図１２に示すように、三方弁１８を泡採取管１３とシリンジ１４とが連通するようにし、放水路１２を流れる排出海水１１に浮遊している泡２２を泡採取管１３より回収してシリンジ１４に送給する。泡採取管１３の三方弁１８と外筒２５の流入口２７との空間内と、シリンジ１４の外筒２５と内筒２６とより形成される空間内とには予め消泡剤３１が溜められているため、シリンジ１４内に泡２２を回収する際に、泡採取管１３内で泡２２はシリンジ１４内の消泡剤３１と混合して消泡剤３１と反応し、消泡され、液体の泡成分３５が生成される。これにより、シリンジ１４内には既に液化した泡成分３５が溜められる。
【００５１】
泡２２を所定量回収した後、図１３に示すように、三方弁１８を消泡剤供給管３３と泡採取管１３の排出海水１１側とが連通するようにして泡２２を排出海水１１から採取するのを停止する。
【００５２】
その後、図１４に示すように、調節弁Ｖ２２を開放し、シリンジ１４内の泡成分３５を貫通流路２８、泡成分回収管１６をこの順に通過させ、泡成分回収容器１７内に送給して、泡成分回収容器１７内に回収する。
【００５３】
よって、本実施例に係る使用済排出海水の泡採取装置１０Ｂを放水路１２に設け、シリンジ１４の前流側の採取管１３内とシリンジ１４内に予め消泡剤３１を入れておき、放水路１２に放出される排出海水１１に同伴した泡２２を泡採取管１３に採取する際、シリンジ１４内には予め泡採取管１３にも入れておいた消泡剤３１で泡２２を液化した泡成分３５を得ることができる。このため、泡２２を短時間で容易に液化し、分析用にして回収することができる。
【００５４】
また、泡２２の採取、液化作業は手動で行うことができ、電気を消費することなく行うことができるため、電力の得られない状況下でも泡２２を分析用の試料として採取することができる。
【符号の説明】
【００５５】
１０Ａ、１０Ｂ  使用済排出海水の泡採取装置
１１  排出海水
１２  放水路
１３  泡採取管
１４  薬剤混合容器（シリンジ）
１５  消泡剤供給手段
１６  泡成分回収管
１７  泡成分回収容器（泡成分回収部）
１８  三方弁
２０  放水管
２１  堰
２２  泡
２３  浮体（フロート）
２５  外筒
２６  内筒
２７  流入口
２８  貫通流路
３１  消泡剤
３２  消泡剤供給タンク
３３  消泡剤供給管
３５  泡成分
【図１】
2013036783.tif 000003
【図２】
2013036783.tif 000004
【図３】
2013036783.tif 000005
【図４】
2013036783.tif 000006
【図５】
2013036783.tif 000007
【図６】
2013036783.tif 000008
【図７】
2013036783.tif 000009
【図８】
2013036783.tif 000010
【図９】
2013036783.tif 000011
【図１０】
2013036783.tif 000012
【図１１】
2013036783.tif 000013
【図１２】
2013036783.tif 000014
【図１３】
2013036783.tif 000015
【図１４】
2013036783.tif 000016